(57)【要約】【課題】  動画を撮影する際には、使用者が操作部材を操作する際の操作音（衝突音、振動音）が記録されてしまう。【解決手段】  中立位置から２方向に回動操作することのできる操作部材と、前記操作部材を回動可能に保持する保持部材と、前記操作部材と当接することで前記操作部材の回動範囲を制限する回動制限部材と、前記操作部材を前記中立位置へと付勢するバネ部材と、第１の部分が前記保持部材に固定されるとともに、第２の部分が前記操作部材の一部に係合し、前記操作部材を前記中立位置から回動させることで弾性変形する弾性部材と、前記回動制限手段が前記操作部材の回動範囲を制限する前に、前記弾性部材の前記第２の部分と当接する当接部材とを有する。【選択図】  図１
2011203585.tif 000002
【特許請求の範囲】
【請求項１】
中立位置から２方向に回動操作することのできる操作部材と、
前記操作部材を回動可能に保持する保持部材と、
前記操作部材と当接することで前記操作部材の回動範囲を制限する回動制限部材と、
前記操作部材を前記中立位置へと付勢するバネ部材と、
第１の部分が前記保持部材に固定されるとともに、第２の部分が前記操作部材に係合し、前記操作部材を前記中立位置から回動させることで弾性変形する弾性部材と、
前記回動制限手段が前記操作部材の回動範囲を制限する前に、前記弾性部材の前記第２の部分と当接する当接部材とを有することを特徴とする電子機器。
【請求項２】
前記回動制限部材は前記保持部材に形成される開口部であって、前記操作部材に形成されるボスを前記開口部に挿通することで、前記操作部材の回動範囲を制限することを特徴とする請求項１に記載の電子機器。
【請求項３】
前記当接部材は前記保持部材に形成される当接部であって、前記回動制限手段が前記操作部材の回動範囲を制限するとき、前記弾性部材の前記第２の部分は前記当接部と前記操作部材との間に挟まれて圧縮変形することを特徴とする請求項１または２に記載の電子機器。
【請求項４】
前記操作部材は、レバー部材と、前記保持部材を挟んだ状態で前記レバー部材に対してビスによって固定されるプレート部材とを有し、
前記弾性部材の前記第２の部分は、前記ビスの周囲を覆うＵ字形状であることを特徴とする請求項１ないし３のいずれか１項に記載の電子機器。
【請求項５】
前記弾性部材の前記第２の部分は、前記操作部材が前記中立位置にあるときに、前記操作部材に対して、前記操作部材が操作される方向と略直交する方向の力を作用させることを特徴とする請求項１ないし４のいずれか１項に記載の電子機器。
【請求項６】
前記弾性部材は、前記操作部材が中立位置にある状態においては前記バネ部材よりも小さな弾性係数で弾性変形し、前記回動制限手段が前記操作部材の回動範囲を制限する状態では前記バネ部材よりも大きな弾性係数で弾性変形することを特徴とする請求項１ないし５のいずれか１項に記載の電子機器。
【発明の詳細な説明】
【技術分野】
【０００１】
本発明は電子機器の操作部材に関し、特にデジタルカメラ等の電子機器における操作部材に関するものである。
【背景技術】
【０００２】
近年デジタルカメラの高機能化が進み、静止画撮影以外にも動画撮影機能等を備えたものが増えてきている。デジタルカメラで動画撮影中にズーム動作を行う際には、動画撮影を開始したのち、ズーム操作部材を操作することによって行っていた。
【０００３】
従来のズーム操作部材は、回動可能な操作部材をバネにより中立位置に保持し、使用者が操作部材を操作することでバネに抗して回動端の位置まで操作することができるように構成されている。
【先行技術文献】
【特許文献】
【０００４】
【特許文献１】特開２００８−２０３６３２号公報
【発明の概要】
【発明が解決しようとする課題】
【０００５】
しかしながら、上述の特許文献に開示された操作部材は使用者がズーム操作時に操作部材を回転させた際に操作部材の一部が保持部材に当接することによって位置が決まるため、操作時に衝突音が発生してしまう。
【０００６】
また、この操作部材は使用者が操作を解除すると、戻しバネによって中立位置まで復帰する構成となっている。戻しバネによって操作部材が中立位置まで戻る際には、回転する移動部材とバネとが擦れて自励振動することで振動音も発生してしまう。
【０００７】
動画を撮影する際には、操作部材から発生するこのような音が記録されてしまうという問題がある。
【０００８】
本発明の目的は、使用者が操作部材を操作する際の操作音（衝突音、振動音）を緩和した電子機器を提供することである。
【課題を解決するための手段】
【０００９】
上記目的を達成するために、本発明は中立位置から２方向に回動操作することのできる操作部材と、前記操作部材を回動可能に保持する保持部材と、前記操作部材と当接することで前記操作部材の回動範囲を制限する回動制限部材と、前記操作部材を前記中立位置へと付勢するバネ部材と、第１の部分が前記保持部材に固定されるとともに、第２の部分が前記操作部材の一部に係合し、前記操作部材を前記中立位置から回動させることで弾性変形する弾性部材と、前記回動制限手段が前記操作部材の回動範囲を制限する前に、前記弾性部材の前記第２の部分と当接する当接部材とを有することを特徴とする。
【発明の効果】
【００１０】
本発明によれば、使用者が操作部材を操作する際の操作音（衝突音、振動音）を緩和した電子機器を提供することができる。
【図面の簡単な説明】
【００１１】
【図１】デジタルカメラ１００のズームレバー近傍の構成を説明する分解斜視図である。
【図２】デジタルカメラ１００の外観を説明する図である。
【図３】ズームレバー１１２が操作されたときの状態を説明する図である。
【図４】ズームレバー１１２が操作されたときの状態を説明する図である。
【図５】ズームレバー１１２を回動させたときに、ズームラバー１２２とズームスプリング１２３の変形の状態を表わした図である。
【発明を実施するための形態】
【００１２】
（実施例１）
以下、本発明を実施した電子機器の一例であるデジタルカメラ１００について、図１〜図５を用いて説明する。
【００１３】
図１はデジタルカメラ１００のズームレバー近傍の構成を説明する分解斜視図である。
【００１４】
レリーズボタン１１１は押圧操作されることにより撮影準備及び撮影開始を行う操作部材である。レリーズボタン１１１はズームレバー１１２に対して所定量ストロークするように取り付けられる。レリーズボタン１１１とズームレバー１１２との間にレリーズバネ１１８を配置し、レリーズバネ１１８はズームレバー１１２とレリーズボタン１１１とを離反させる方向の付勢力を与える。したがって、レリーズボタン１１１を押圧操作する際には、レリーズバネ１１８の付勢力に抗してレリーズボタン１１１をズームレバー１１２に対してストロークさせる。レリーズボタン１１１には、ボス１１１ａが形成され、レリーズボタン１１１が押圧操作されることで、ボス１１１ａがズームレバー１１２から突出して、レリーズスイッチ１２５をオンする。
【００１５】
トップカバー１１７はデジタルカメラの上面に配置される外装部材であって、レリーズボタン１１１が取り付けられたズームレバー１１２を回動可能に保持する保持部材として機能する。トップカバー１１７には、ズームレバー１１２の回動中心が中心となる円形の開口部１１７ａと開口部１１７ａの周囲に形成される円弧形状の開口部１１７ｂおよび１１７ｃが形成される。ズームレバー１１２には、円筒部１１２ａ、ビス座が形成されるボス１１２ｂおよび１１２ｃ、位置決めピン１１２ｄが形成される。円筒部１１２ａが開口部１１７ａに、ボス１１２ｂが開口部１１７ｂに、ボス１１２ｂおよび位置決めピン１１２ｄが開口部１１７ｂにそれぞれ位置するように、ズームレバー１１２をトップカバー１１７に配置する。そして、ズームレバー１１２にズームプレート１２１を固定することで、トップカバー１１７はズームレバー１１２とズームプレート１２１に挟まれた状態となり、ズームレバー１１２はトップカバー１１７に取り付けられる。
【００１６】
ズームプレート１２１には、位置決め孔１２１ａおよびビス孔１２１ｂ、１２１ｃが形成される。ズームレバー１１２にズームプレート１２１を固定する際には、位置決め孔１２１ａに位置決めピン１１２ｄを挿通させ、ビス孔１２１ｂとボス１１２ｂのビス座、ビス孔１２１ｃとボス１１２ｃのビス座の位置を合わせる。そして、締結ビス１１９をボス１１２ｃのビス座に螺合させ、段ビス１２０をボス１１２ｃのビス座に螺合させる。これによって、ズームプレート１２１はズームレバー１１２に固定される。本実施例では、ズームレバー１１２はレバー部材として機能し、ズームプレート１２１はプレート部材として機能する。そして、一体化されたズームレバー１１２およびズームプレート１２１が中立位置から２方向に回動操作することのできる操作部材として機能する。
【００１７】
ボス１１２ｂがトップカバー１１７の開口部１１７ｂの一端に当接する位置から、ボス１１２ｂがトップカバー１１７の開口部１１７ｂの他端に当接する位置までをズームレバー１１２の回動範囲とする。したがって、本実施例では、トップカバー１１７に形成される開口部１１７ｂが操作部材の回動範囲を制限する回動制限部材として機能する。
【００１８】
ズームプレート１２１には、ズームバネ１２３が掛けられるバネ掛け部１２１ｄおよびズームスイッチ１２６のアーム１２６ａと当接する当接部１２１ｅ、１２１ｆが形成される。一方、トップカバー１１７には、ズームバネ１２３と当接する突起部１１７ｄが形成されている。ズームレバー１１２を中立位置に付勢するバネ部材であるズームバネ１２３は２つの腕がズームプレート１２１のバネ掛け部１２１ｄおよびトップカバー１１７の突起部１１７ｄを挟むように配置され、ビス１２４によってトップカバー１１７に固定される。ズームバネ１２３をトップカバー１１７に固定する際に、ズームバネ１２３とトップカバー１１７との間にグランドプレート１２７を挟みこむ。グランドプレート１２７はデジタルカメラ内部のグランド電位の部分と接続されている。したがって、ズームバネ１２３、ズームプレート１２１、締結ビス１１９、段ビス１２０、ビス１２４はグランド電位となる。
【００１９】
弾性部材としてのズームラバー１２２は一方側に形成される第１の部分である固定部１２２ａがトップカバー１１７に形成されるボス１１７ｅに固定され、他方側に形成される第２の部分であるＵ字部１２２ｂが段ビス１２０の周囲を覆うように配置される。したがって、ズームラバー１２２のＵ字部１２２ｂはＵ字形状を有し、操作部材として機能する一体化されたズームレバー１１２およびズームプレート１２１に係合する。
【００２０】
ズームレバー１１２を回動させると、ボス１１２ｂがトップカバー１１７の開口部１１７ｂの一端に当接する前に、段ビス１２０の周囲を覆うＵ字部１２２ｂが、トップカバー１１７の当接部１１７ｆまたは当接部１１７ｇに当接する。本実施例では、トップカバー１１７の当接部１１７ｆまたは当接部１１７ｇが当接部材として機能する。
【００２１】
レリーズスイッチ１２５およびズームスイッチ１２６は不図示のフレキシブル基板に実装され、ズームプレート１２１に重ねて配置される。
【００２２】
図２はデジタルカメラ１００の外観を説明する図である。
【００２３】
図２（ａ）はデジタルカメラ１００の正面図、図２（ｂ）はデジタルカメラ１００の背面図である。図２（ｃ）はデジタルカメラ１００の右側面図、図２（ｄ）はデジタルカメラ１００の左側面図である。図２（ｅ）はデジタルカメラ１００の上面図、図２（ｆ）はデジタルカメラ１００の底面図である。
【００２４】
図２（ａ）にて、鏡筒１０４は撮影光学系を構成するレンズ鏡筒であり、前カバー１０５はデジタルカメラ１００の前面を覆う外装部材である。デジタルカメラ１００の前面にはストロボ１０６とＡＦ補助光窓１０７が配置される。
【００２５】
図２（ｂ）にて、背面カバー１０１は本体背面を覆う外装部材である。保護窓１０２は液晶パネルを保護する。中間部材１０３は保護窓１０２を保持し背面カバー１０１へと固定する。操作ボタン群１０８は中央のボタンと周囲のボタンから構成されており、撮影時や画像再生時に各種設定をする際に使用する。
【００２６】
図２（ｃ）にて、コネクタカバー１０９は各種外部デバイスに接続する為の端子類を保護する。本実施例のデジタルカメラ１００はアナログビデオ端子、電源端子、ＵＳＢ端子などの端子を備える。ストラップベース１１０はストラップを通すための孔を備える。
【００２７】
図２（ｅ）にて、レリーズボタン１１１は、操作されることで撮影準備および撮影を開始する。ズームレバー１１２は、操作されることで光学式あるいは電子的に被写体像の倍率を変化させる。パワーボタン１１３は、操作されることでデジタルカメラ１００の電源をオン・オフする。モードダイヤル１１４は、操作されることで撮影モードを設定する。トップカバー１１７はデジタルカメラ１００の上面を覆う外装部材である。上述したように、ズームレバー１１２はトップカバー１１７に取り付けられている。
【００２８】
図２（ｆ）にて、電池蓋１１５はデジタルカメラ１００の電池室を覆っている。三脚穴１１６はデジタルカメラ１００を三脚に固定するための穴である。
【００２９】
図３および図４を用いて、ズームレバー１１２が操作されたときの状態を説明する。
【００３０】
図３（ａ）は、ズームレバー１１２が操作されていない状態、すなわちズームレバー１１２が中立位置にあるときの状態を示す図である。
【００３１】
図示するように、この状態では、ズームバネ１２３は２つの腕がともに、ズームプレート１２１のバネ掛け部１２１ｄおよびトップカバー１１７の突起部１１７ｄを挟んでいる。そして、ズームプレート１２１の当接部１２１ｅ、１２１ｆのいずれもズームスイッチ１２６のアーム１２６ａと当接していない。この状態では、ズームラバー１２２のＵ字部１２２ｂは図中の矢印Ｎの方向に、段ビス１２０を引っ張っている。この引っ張り力によって、ズームプレート１２１は中立位置に保持される。すなわち、ズームラバー１２２のＵ字部１２２ｂは、ズームレバー１１２が中立位置にあるときに、ズームレバー１１２が操作される方向とは略直交する方向の力を、ズームプレート１２１に作用させている。
【００３２】
図３（ｂ）は、図３（ａ）に示す状態から、ズームレバー１１２を反時計方向に回動させて、ボス１１２ｂをトップカバー１１７の開口部１１７ｂの一端に当接させた状態を示している。図３（ａ）に示す状態から、ズームレバー１１２を反時計方向に回動させると、ズームプレート１２１がズームレバー１１２とともに回動することで、バネ掛け部１２１ｄの位置が変化する。すなわち、ズームスプリング１２３の一方の腕が突起部１１７ｄに係止された状態で、ズームスプリング１２３の他方の腕はバネ掛け部１２１ｄによって弾性変形する。ズームスプリング１２３は２つの腕の距離を縮める方向に付勢力を発生させるバネであるので、このように２つの腕の距離が広げられるにつれ、付勢力は大きくなる。したがって、ズームレバー１１２の回転量が増すほど、中立位置に戻す力は大きくなり、図３（ｂ）に示す状態で最大の付勢力となる。図３（ａ）に示す状態から、ズームレバー１１２を反時計方向に回動させると、ズームプレート１２１の当接部１２１ｆがズームスイッチ１２６のアーム１２６ａと当接し、アーム１２６ａを倒す。これによって、ズームスイッチ１２６は被写体像を拡大する信号を出力する。
【００３３】
図４（ａ）は図３（ｂ）に示す状態において、ズームスイッチ１２６、ズームラバー１２２、ズームスプリング１２３、ビス１２４、ズームプレート１２１を取り外した状態を示す図である。図３（ｂ）に示す状態では、図４（ａ）に示すように、ボス１１２ｂがトップカバー１１７の開口部１１７ｂの一端に当接する状態となる。
【００３４】
図３（ｂ）に示す状態では、ボス１１２ｂがトップカバー１１７の開口部１１７ｂの一端に当接する状態となるが、それよりも前に段ビス１２０の周囲に巻き付けられるＵ字部１２２ｂが、トップカバー１１７の当接部１１７ｆに当接する。Ｕ字部１２２ｂが当接部１１７ｆに当接したのち、ボス１１２ｂが開口部１１７ｂの一端に当接するので、ボス１１２ｂが開口部１１７ｂの一端に当接する衝撃を緩和することができ、衝撃音を低減することができる。
【００３５】
また、図３（ｂ）の状態にあるときに、ズームレバー１１２の操作を解除すると、ズームスプリング１２３の付勢力およびズームラバー１２２の復元力によって、ズームプレート１２１は図３（ａ）の状態に復帰する。このとき、ズームプレート１２１は中立位置近傍で振動した後、図３（ａ）に示す状態となる。すなわち、ズームプレート１２１はズームスプリング１２３の付勢力およびズームラバー１２２の復元力によって、中立位置を越える位置まで時計回りに回動する。そして、今度はズームスプリング１２３の付勢力およびズームラバー１２２の復元力によって、反時計回りに回動する。ズームレバー１１２を中立位置に復帰させる際には、ズームプレート１２１は中立位置近傍でこのように振動する。このとき、ズームスプリング１２３の腕とバネ掛け部１２１ｄとが何度も衝突を繰り返すことになり、衝撃音を発してしまう。本実施例では、ズームラバー１２２を設けることで、この振動を早く収束させることができる。つまり、ズームラバー１２２のＵ字部１２２ｂが段ビス１２０を、図３（ａ）の矢印Ｎの方向に引っ張っていることで、Ｕ字部１２２ｂが振動を減衰させるダンパーとして機能している。
【００３６】
同様に、図３（ｃ）は図３（ａ）に示す状態から、ズームレバー１１２を時計方向に回動させて、ボス１１２ｂをトップカバー１１７の開口部１１７ｂの一端に当接させた状態を示している。図３（ａ）に示す状態から、ズームレバー１１２を時計方向に回動させると、ズームスプリング１２３の一方の腕が突起部１１７ｄに係止された状態で、ズームスプリング１２３の他方の腕はバネ掛け部１２１ｄによって弾性変形する。ズームスプリング１２３の付勢力は２つの腕の距離が広げられるにつれ、大きくなり、図３（ｃ）に示す状態で最大の付勢力となる。図３（ａ）に示す状態から、ズームレバー１１２を時計方向に回動させると、ズームプレート１２１の当接部１２１ｅがズームスイッチ１２６のアーム１２６ａと当接し、アーム１２６ａを倒す。これによって、ズームスイッチ１２６は被写体像を縮小する信号を出力する。
【００３７】
図４（ｂ）は図３（ｃ）に示す状態において、ズームスイッチ１２６、ズームラバー１２２、ズームスプリング１２３、ビス１２４、ズームプレート１２１を取り外した状態を示す図である。図３（ｃ）に示す状態では、図４（ｂ）に示すように、ボス１１２ｂがトップカバー１１７の開口部１１７ｂの一端に当接する状態となる。
【００３８】
図３（ｃ）に示す状態では、段ビス１２０の周囲に巻き付けられるＵ字部１２２ｂが、トップカバー１１７の当接部１１７ｇに当接したのち、ボス１１２ｂがトップカバー１１７の開口部１１７ｂの他端に当接する状態となる。したがって、ボス１１２ｂが開口部１１７ｂの一端に当接する衝撃を緩和することができ、衝撃音を低減することができる。
【００３９】
また、図３（ｃ）の状態から図３（ａ）の状態に復帰する際に、ズームプレート１２１振動をズームラバー１２２が減衰させる点についても同様である。
【００４０】
図５は、ズームレバー１１２を回動させたときに、ズームラバー１２２とズームスプリング１２３の変形の状態を表わした図である。
【００４１】
ズームスプリング１２３は中立位置からズームレバー１１２の回動量が増えるにしたがって付勢力も一様に増加していき、図３（ｂ）あるいは図３（ｃ）に示す状態において最大の値となる。
【００４２】
それに対して、ズームラバー１２２は中立位置付近ではズームスプリング１２３よりも小さい弾性係数で弾性変形する。このとき、ズームラバー１２２が小さい弾性係数で弾性変形する間にズームスイッチ１２６が信号を出力する。その後ズームレバー１１２がトップカバー１１７の当接部１１７ｆまたは当接部１１７ｇに当接すると、ズームラバー１２２のＵ字部１２２ｂが圧縮変形を始めて、ズームスプリング１２３よりも大きな弾性係数で弾性変形する。そして、図３（ｂ）あるいは図３（ｃ）に示す回動が制限される状態において最大の圧縮量となる。
【００４３】
このように、ズームラバー１２２は中立位置から図３（ｂ）あるいは図３（ｃ）に示す回動が制限される状態の間で、曲げ変形領域と圧縮変形領域の２つを持つ。ズームラバー１２２は、ズームスイッチ１２６が信号を出力したのち、図３（ｂ）あるいは図３（ｃ）に示す回動が制限される状態より前の状態において変形領域が切り換わる。
【００４４】
この結果、ズームレバー１１２を操作するとズームスイッチ１２６が信号を出力した後に操作力が重くなり、図３（ｂ）あるいは図３（ｃ）に示す回動が制限される状態まで回すまでの間に運動エネルギーが吸収されて衝突音の発生が防止される。
【００４５】
以上、説明したように本実施例では、ズームレバー１１２の回動時にはズームラバー１２２を圧縮変形させることで衝突音を緩和する。そして、ズームレバー１１２の復帰時にはズームラバー１２２の中立位置に保持しようとする力によってズームプレート１２１の振動音を減衰して緩和する。これにより、ズームレバー１１２操作時の操作音を緩和して動画撮影時に不要な音が録音されるのを防ぐことが可能になる。
【００４６】
本発明の好ましい実施形態について説明したが、本発明はこれらの実施形態に限定されず、その要旨の範囲内で種々の変形及び変更が可能である。
【符号の説明】
【００４７】
１１１  レリーズボタン
１１２  ズームレバー
１１７  トップカバー
１２０  段ビス
１２１  ズームプレート
１２２  ズームラバー
１２３  ズームスプリング
【図１】
2011203585.tif 000003
【図２】
2011203585.tif 000004
【図３】
2011203585.tif 000005
【図４】
2011203585.tif 000006
【図５】
2011203585.tif 000007